(57)【要約】【課題】玄関収納家具の仕切板をなくして収容量を増加させるとともに、強度を確保する。【解決手段】左右側板２Ｌ，２Ｒ、天板３、底板４及び背板５を有する前側が開口された矩形箱状の家具本体１と、該家具本体１内部に取り外し可能に架設された複数の棚板１８，１８と、家具本体１の前側に配置され、開口を開閉する扉１５Ｌ〜１５Ｒとを備えた玄関収納家具Ａにおいて、家具本体１の前端部及び後端部の前後に対応した所定位置にそれぞれ表側補強枠材１０及び裏側補強板１１を、天板３及び底板４を連結するように立設する。表側補強枠材１０、裏側補強板１１及び左右の側板２Ｌ，２Ｒの同じ高さ位置にダボピン２２を固定し、それらダボピン２２間に各棚板１８を架設する。【選択図】図４
2013017663.tif 000002
【特許請求の範囲】
【請求項１】
左右側板、天板、底板及び背板を有し、前側が開口された矩形箱状の家具本体と、該家具本体内部に取り外し可能に架設された複数の棚板と、家具本体の前側に配置され、開口を開閉する扉とを備えた玄関収納家具において、
上記家具本体の前端部及び後端部の前後に対応した所定位置にそれぞれ表側補強枠材及び裏側補強板が天板及び底板を連結するように立設され、
上記表側補強枠材、裏側補強板及び左右の側板には、同じ高さ位置に架設部材が固定され、
上記各棚板は上記表側補強枠材、裏側補強板及び左右の側板の架設部材間に架設されていることを特徴とする玄関収納家具。
【請求項２】
請求項１において、
少なくとも一部の棚板は、裏側補強板及び表側補強枠材の位置で左右に分割され、両分割棚板は左右に突き合わされかつ該突き合わせ端部が裏側補強板及び表側補強枠材で支持された状態で架設されていることを特徴とする玄関収納家具。
【請求項３】
請求項１又は２において、
少なくとも一部の棚板は、その前側の一部を切り欠いた切欠部を有することを特徴とする玄関収納家具。
【請求項４】
請求項１〜３のいずれか１つにおいて、
架設部材が表側補強枠材、裏側補強板及び左右側板に対し取り外しにより複数の高さ位置に移動調整可能に固定されていることを特徴とする玄関収納家具。
【発明の詳細な説明】
【技術分野】
【０００１】
本発明は玄関収納家具に関し、その収容量を増加させる技術に関する。
【背景技術】
【０００２】
一般に、靴等の収納物を収納する玄関収納家具においては、その収納力を増やすために左右の幅を広くすることが行われている。その場合、収納家具（箱体）としての強度が低下したり、或いは靴の重みで長尺の棚の中央が撓んだりする等の問題があるため、広幅の収納家具の内部に左右中間位置で仕切板を設けることで、その仕切板によって区画される個々の収納部の幅を狭くしながらも強度の向上を図っている。例えば、家具の設置面積と収容力とを考えた場合、１２００ｍｍ幅とすることが一般的であるが、左右側面の一方から４００ｍｍの部位（他方から８００ｍｍの部位）に仕切板を設けている。
【０００３】
ところが、このように内部を仕切板で仕切ると、その仕切板の厚さ分だけ収納空間の幅が狭くなり、靴の幅によっては例えば１足分を並べて置くことができず、無駄な空間が生じる。
【０００４】
これに対して、特許文献１には、仕切板で区画された左右２つの空間のうちの狭い側の空間の幅を２足の男性靴が置き得る大きさ（実施形態では約５０ｃｍ）に少し広げることで、無駄を無くすようにすることが提案されている。
【先行技術文献】
【特許文献】
【０００５】
【特許文献１】実用新案登録第３１５３１８９号
【発明の概要】
【発明が解決しようとする課題】
【０００６】
しかし、男性靴の幅が全て一定と言う訳ではなく、靴の幅は各個人が所有する靴のデザインや寸法に応じて左右されることから、上記特許文献１のものでは、常に２足を安定して置き得ることにはならない。
【０００７】
また、女性靴や子供靴は幅が様々で、これらを上記男性靴収納の場所に収納すれば無駄な空間が発生する場合もあり、必ずしも有効な方法とはなり得ないという問題がある。
【０００８】
他方、上記仕切板自体をなくすことで、収容量を増加させることができるが、その反面、強度部材がなくなり、収納家具の強度を確保することができなくなる。
【０００９】
本発明は斯かる点に鑑みてなされたもので、その目的は、収容空間の増大の障害になっている仕切板をなくす構造を基本としつつ、収納家具の強度を確保できるようにすることにある。
【課題を解決するための手段】
【００１０】
上記の目的を達成するために、この発明では、収納家具の前側部及び後側部にそれぞれ支持用の強度部材を立設し、この前後の強度部材により箱体の強度を確保するとともに、これら強度部材に棚板を前後端部で支持するようにした。
【００１１】
具体的には、請求項１の発明では、左右側板、天板、底板及び背板を有し、前側が開口された矩形箱状の家具本体と、その家具本体内部に取り外し可能に架設された複数の棚板と、家具本体の前側に配置され、開口を開閉する扉とを備えた玄関収納家具が前提である。
【００１２】
そして、上記家具本体の前端部及び後端部の前後に対応した所定位置にそれぞれ表側補強枠材及び裏側補強板が天板及び底板を連結するように立設され、上記表側補強枠材、裏側補強板及び左右の側板には、同じ高さ位置に架設部材が固定され、上記各棚板は上記表側補強枠材、裏側補強板及び左右の側板の架設部材間に架設されていることを特徴とする。
【００１３】
この請求項１の発明では、家具本体の前端部及び後端部の前後に対応した所定位置にそれぞれ表側補強枠材及び裏側補強板が立設され、これら表側補強枠材、裏側補強板及び左右の側板に架設部材が固定されて、それら架設部材間に棚板が架設されているので、家具本体内部に従来の仕切板が設けられていないこととなる。そのため、家具本体内部において左右側板の位置まで無駄なく靴等の収納物を収納でき、家具本体の外寸が従来と同じでありながらそれよりも収容量が増加する。
【００１４】
また、家具本体の前端部に天板と底板とを連結する表側補強枠材が、また後端部に同様の裏側補強板がそれぞれ設けられているので、従来の仕切板が無くても家具本体として十分な強度を有する。また、棚板は側板以外に、裏側補強板及び表側補強枠材に固定した架設部材によっても架設されるので、靴等の収納物の重みで棚板の中央が撓む等の問題は発生しない。
【００１５】
請求項２の発明では、請求項１の発明において、少なくとも一部の棚板は、裏側補強板及び表側補強枠材の位置で左右に分割され、両分割棚板は左右に突き合わされかつ該突き合わせ端部が裏側補強板及び表側補強枠材で支持された状態で架設されていることを特徴とする。
【００１６】
この請求項２の発明では、少なくとも一部の棚板が裏側補強板及び表側補強枠材の位置で分割されて、その分割された左右の分割棚板は相互に突き合わされ、その突き合わせ端部が裏側補強板及び表側補強枠材で支持された状態で架設されているので、左右に連続して分割棚板が配置されているにも拘わらず、棚板の位置の付け替えが容易に行える。
【００１７】
請求項３の発明では、請求項１又は２の発明において、少なくとも一部の棚板は、その前側の一部を切り欠いた切欠部を有することを特徴とする。
【００１８】
この請求項３の発明では、少なくとも一部の棚板に切欠部が設けられているので、その切欠部に背の高いブーツ等の収納物を収納することができる。また、切欠部後側にあって前後の奥行きの狭くなった部分には、子供靴等の小さい収納物を置くことができる。このことで無駄のない収納を行うことができる。
【００１９】
請求項４の発明では、請求項１〜３の発明のいずれか１つにおいて、架設部材が表側補強枠材、裏側補強板及び左右側板に対し取り外しにより複数の高さ位置に移動調整可能に固定されていることを特徴とする。
【００２０】
この請求項４の発明では、架設部材を取り外して高さ位置を変更することで、架設部材の数を増やすことなく、棚板の高さを容易に調整することができる。
【発明の効果】
【００２１】
以上説明のように、請求項１の発明によると、前側が開口された矩形箱状の家具本体の前端部及び後端部の所定位置にそれぞれ表側補強枠材及び裏側補強板を、天板及び底板間を連結するように立設し、それら表側補強枠材及び裏側補強板と左右の側板とに架設部材を固定して、各棚板を表側補強枠材、裏側補強板及び左右の側板の架設部材間に架設するようにしたことにより、表側補強枠材及び裏側補強板によって家具本体として十分な強度を確保しかつ棚板の中央の撓み等を防止しながら、家具本体内部における従来の仕切板をなくし、家具本体内部に左右側板の位置まで無駄なく靴等の収納物を収納して、玄関収納家具の収容量の増加を図ることができる。
【００２２】
請求項２の発明によると、少なくとも一部の棚板を裏側補強板及び表側補強枠材の位置で左右に分割されたものとし、その両分割棚板は左右に突き合わされかつ突き合わせ端部が裏側補強板及び表側補強枠材で支持された状態で架設されているものとしたことにより、左右に連続して棚板が配置されているにも拘わらず、棚板の位置の付け替えの容易化を図ることができる。
【００２３】
請求項３の発明によると、少なくとも一部の棚板の前側に切欠部を設けたことにより、その切欠部に背の高いブーツ等の収納物を収納できるとともに、切欠部後側の奥行きの狭くなった部分に子供靴等の収納物を置くことができ、無駄のない収納を行うことができる。
【００２４】
請求項４の発明によると、架設部材を表側補強枠材、裏側補強板及び左右側板に対し取り外しによって複数の高さ位置に移動調整可能に固定するようにしたことにより、架設部材数の増加を招くことなく棚板の高さを容易に調整することができる。
【図面の簡単な説明】
【００２５】
【図１】図１は、本発明の実施形態に係る玄関収納家具を扉の取り外し状態で前側（表側）から見た斜視図である。
【図２】図２は、玄関収納家具を扉の取り外し状態で後側（裏側）から見た斜視図である。
【図３】図３は、扉を取り外した玄関収納家具を前側から見た正面図である。
【図４】図４は、天板を取り外した状態で玄関収納家具を上側から見た平面図である。
【図５】図５は、玄関収納家具の内部から表側補強枠材を見た図である。
【図６】図６は、表側補強枠材に対する棚板の架設構造を拡大して示す正面図である。
【図７】図７は、裏側補強板及び左右側板に対する左右の分割棚板の架設構造を示す正面図である。
【図８】図８は、全ての棚板を示す斜視図である。
【図９】図９は、切り欠き部を有する棚板の拡大平面図である。
【発明を実施するための形態】
【００２６】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２７】
図１〜図４は本発明に係る玄関収納家具Ａを示し、この収納家具Ａは収納物として例えば靴を収容するために用いられる。収納家具Ａは、前側（表側）が開口された矩形箱状の家具本体１と、この家具本体１内部に取り外し可能に架設された例えば上下２枚（複数）の棚板１８，１８と、家具本体１の前側に配置され、その前側の開口を開閉する例えば３枚の扉１５Ｌ，１５Ｍ，１５Ｒ（図４参照）とを備えている。
【００２８】
上記家具本体１は左側板２Ｌ、右側板２Ｒ、天板３、底板４、背板５（裏板）、上下の背板補強桟６，６及び前巾木７（図２参照）を有する。左側板２Ｌ及び右側板２Ｒは互いに同じ大きさの矩形板状のものであり、天板３及び底板４も互いに同じ大きさの矩形板状のものである。そして、左右側板２Ｌ，２Ｒを間隔をあけて起立させ、それらの上端部間に天板３を、また下端部寄り部位間に底板４をそれぞれ掛け渡して、天板３及び底板４の左右端部をそれぞれ左右側板２Ｌ，２Ｒに例えばダボ止め及び接着（又はねじ止め）等によって固定することにより、左側板２Ｌ、右側板２Ｒ、天板３及び底板４が矩形枠状に形成される。尚、底板４は側板２Ｌ，２Ｒの下端部よりも少し上側の位置に固定され、この底板４の下側前端部には上記前巾木７が左右端部を左右側板２Ｌ，２Ｒに、また上端部を底板４にそれぞれ例えばダボ止め及び接着（又はねじ止め）等によって固定された状態で配置されている。
【００２９】
また、背板５は、上記左右側板２Ｌ，２Ｒ、天板３及び底板４の枠体の後側開口部を閉じる大きさの矩形薄板状のもので、左右側縁部を上記枠体の左右内面（左側板２Ｌの右側面及び右側板２Ｒの左側面、天板３の下面及び底板４の上面）の後端部寄りに形成した嵌合溝（図示せず）に嵌合されて固定されている。また、背板５の後側（裏側）にはその上下端位置にそれぞれ上記上下の背板補強桟６，６が配置され、この背板補強桟６，６は背板５の後面（裏面）に接した状態で天板３の下面及び底板４の上面に接着されるか、或いはその接着に加え天板３及び底板４の後面（裏面）に対しタッカー止めされるかして固定されている。以上の構造により、前側が開口された矩形箱状の家具本体１が構成されている。
【００３０】
上記家具本体１の前端部（表側端部）には、例えばその左端部から家具本体１の左右幅の１／３程度の位置に表側補強枠材１０が立設されている。この表側補強枠材１０は細長い角材状又は板状のもので、その上端部は天板３の下面に、また下端部は底板４の上面にそれぞれ接着等により固定されており、表側補強枠材１０は天板３及び底板４を直接に連結するように立設されている。
【００３１】
一方、家具本体１の後端部において、上記背板５の後側位置（裏側位置）には上記表側補強枠材１０に前後に対応した位置に裏側補強板１１が天板３及び底板４間に亘り立設されている。この裏側補強板１１は表側補強枠材１０と異なり、上下端部が天板３及び底板４に直接固定されておらず、上記上下の背板補強桟６，６間に配置されて該背板補強桟６，６を介して間接的に天板３及び底板４に固定されている（図２参照）。つまり、この裏側補強板１１は天板３及び底板４を上下の背板補強桟６，６を介して間接的に連結するように立設されている。
【００３２】
上記構造により、表側補強枠材１０は天板３及び底板４の左右中間部の前端部間を直接連結する支持部材となり、裏側補強板１１は天板３及び底板４の左右中間部の後端部間を上下の背板補強桟６，６を介して間接的に連結する支持部材となっている。
【００３３】
上記３枚の扉１５Ｌ，１５Ｍ，１５Ｒはいずれも矩形板状のもので、それら全体で家具本体１の前側開口を開閉する。左扉１５Ｌは、その左端部が家具本体１における左側板２Ｌの右側面前端部に上下２つの蝶番（図示せず）により揺動可能に支持されている。また、右扉１５Ｒは、その右端部が家具本体１における右側板２Ｒの左側面前端部に上下２つの蝶番（図示せず）により揺動可能に支持されている。さらに、中央の中扉１５Ｍ（兼用扉）は、その左端部が上記表側補強枠材１０の右側面前端部に上下２つの蝶番（図示せず）により揺動可能に支持されており、これら３枚の扉１５Ｌ，１５Ｍ，１５Ｒは独立して家具本体１の前側開口を開閉するようになっている。
【００３４】
そして、上記複数の棚板１８，１８の各々は、左側板２Ｌの右側面、右側板２Ｒの左側面、表側補強枠材１０の後面（裏面）及び裏側補強板１１の前面（表面）に掛け渡されて支持されている。具体的には、図８にも示すように、各棚板１８は表側補強枠材１０及び裏側補強板１１の位置で左右２枚の分割棚板１８Ｌ，１８Ｒに分割され、両分割棚板１８Ｌ，１８Ｒは左右に突き合わされかつその突き合わせ端部が裏側補強板１１及び表側補強枠材１０で支持された状態で隙間無くかつ段差無く連続するように架設されている（図３、図６及び図７参照）。
【００３５】
すなわち、左分割棚板１８Ｌは、左右幅が左側板２Ｌの右側面から表側補強枠材１０（裏側補強板１１）の左右中央位置までの寸法と略同じ大きさで、奥行が背板５前面から表側補強枠材１０の後面（裏面）までの寸法と同じ大きさを有する板材からなる。左分割棚板１８Ｌの左端部下面において前後端部寄りの位置には、後述するダボピン２２（架設部材）を嵌入するための２つのダボ溝１９，１９が形成されている。この各ダボ溝１９は左分割棚板１８Ｌの左端面の下側隅角部を部分的に切り欠くことで左右方向に延びる溝状のもので、その溝の右端は閉塞されている。また、左分割棚板１８Ｌの右端部下面において前後端の角部には、ダボピン２２（架設部材）を嵌入するための２つのダボ切欠き２０，２０が形成されている。この各ダボ切欠き２０は左分割棚板１８Ｌの右端面の前後端の下側隅角部を矩形状に切り欠くことで前後方向に延びるように形成されている。
【００３６】
一方、右分割棚板１８Ｒは、基本的に（後述する切欠部２１を有するものを除く）、左右幅が右側板２Ｒの左側面から表側補強枠材１０（裏側補強板１１）の左右中央位置までの寸法と略同じ大きさで、奥行が背板５前面から表側補強枠材１０の後面（裏面）までの寸法と同じ大きさを有する板材からなる。右分割棚板１８Ｒの右端部下面において前後端部寄りの位置には、ダボピン２２（架設部材）を嵌入するための２つのダボ溝１９，１９が形成されている。この各ダボ溝１９は右分割棚板１８Ｒの右端面の下側隅角部を部分的に切り欠くことで左右方向に延びる溝状のもので、その溝の左端は閉塞されている。また、右分割棚板１８Ｒの左端部下面において前後端の角部には、ダボピン２２（架設部材）を嵌入するための２つのダボ切欠き２０，２０が形成されている。この各ダボ切欠き２０は右分割棚板１８Ｒの左端面の前後端の下側隅角部を矩形状に切り欠くことで前後方向に延びるように形成されている。
【００３７】
そして、左側板２Ｌの右側面と、右側板２Ｒの左側面と、表側補強枠材１０の後面（裏面）と、裏側補強板１１の前面（表面）ないし該裏側補強板１１の前側に位置する背板５とには、同じ高さ位置に架設部材としてのダボピン２２，２２，…が取り外し可能に固定されている。すなわち、左側板２Ｌの右側面の前後寄り位置の２箇所、右側板２Ｒの左側面の前後寄り位置の２箇所及び表側補強枠材１０の後面（裏面）にはそれぞれ有底のダボ穴２３，２３，…が穿設されている。また、背板５ないしその後側に位置する裏側補強板１１には、背板５を貫通して裏側補強板１１に至る有底のダボ穴２３が形成されており、この背板５を貫通して裏側補強板１１に至るダボ穴２３に後述のダボピン２２を嵌合することで、該ダボピン２２は裏側補強板１１に固定されている。
【００３８】
以上の６箇所のダボ穴２３，２３，…は、例えば各々の箇所において、いずれも各棚板１８の基準高さ位置と、それよりも所定高さだけ上側の上側補正位置と、基準高さ位置よりも所定高さだけ下側の下側補正位置との組合せに形成され（図５参照）、６箇所のダボ穴２３，２３，…の基準高さ位置同士、上側補正位置同士、及び下側補正位置同士はいずれも同じ高さ位置に配置されている。
【００３９】
図６及び図７に示すように、上記同じ高さ位置に位置する６種類のダボ穴２３，２３，…に架設部材としてのダボピン２２，２２，…が取り外し可能に嵌合され、これらのダボピン２２，２２，…に左右の分割棚板１８Ｌ，１８Ｒ、つまり両分割棚板１８Ｌ，１８Ｒからなる棚板１８が架設されている。具体的には、左分割棚板１８Ｌは、その左端部の前後のダボ溝１９，１９にそれぞれ左側板２Ｌのダボピン２２，２２が嵌合され、右端部前端のダボ切欠き２０に表側補強枠材１０後面のダボピン２２の左半部が、また右端部後端のダボ切欠き２０に裏側補強板１１（背板５）前面のダボピン２２の左半部がそれぞれ係合された状態で、これら４つのダボピン２２，２２，…間に架設されている。一方、右分割棚板１８Ｒは、その右端部の前後のダボ溝１９，１９にそれぞれ右側板２Ｒのダボピン２２，２２が嵌合され、左端部前端のダボ切欠き２０に表側補強枠材１０後面のダボピン２２の右半部が、また左端部後端のダボ切欠き２０に裏側補強板１１（背板５）前面のダボピン２２の右半部がそれぞれ係合された状態で、これら４つのダボピン２２，２２，…間に架設されている。
【００４０】
また、上記ダボピン２２，２２，…は、それらを取り外して表側補強枠材１０、裏側補強板１１及び左右側板２Ｌ，２Ｒの他のダボ穴２３，２３，…へ嵌合することで、該表側補強枠材１０、裏側補強板１１及び左右側板２Ｌ，２Ｒに対し複数の高さ位置に移動調整可能に固定されている。
【００４１】
さらに、図９に示すように、上記上下の棚板１８，１８のうちの一部である下側棚板１８の右分割棚板１８Ｒには、その前側の右半部を後側に向かって切り欠いた切欠部２１が形成されている。
【００４２】
上記左右の分割棚板１８Ｌ，１８Ｒからなる各棚板１８の高さ位置を変える付け替えを行う場合には、各棚板１８（その分割棚板１８Ｌ，１８Ｒ）を持ち上げてダボピン２２，２２，…から浮かすか、或いは各棚板１８を家具本体１内から取り出すかし、その棚板１８を架設している６つのダボピン２２，２２，…をダボ穴２３，２３，…から抜き出し、そのダボピン２２，２２，…を目的の高さに相当する他のダボ穴２３，２３，…に嵌合して高さ位置を変えた後、それら６つのダボピン２２，２２，…に棚板１８を架設すればよい。こうしてダボピン２２が取り外し可能であるので、そのダボピン２２を取り外して高さ位置を変更することで、棚板１８の高さを容易に調整することができる。
【００４３】
したがって、この実施形態においては、玄関収納家具Ａにおける家具本体１の前端部及び後端部にそれぞれ表側補強枠材１０及び裏側補強板１１が前後に対応して立設され、これら表側補強枠材１０及び裏側補強板１１と左右の側板２Ｌ，２Ｒとに架設部材としてのダボピン２２，２２，…が固定され、それらダボピン２２，２２，…間に棚板１８が架設されている。そのため、家具本体１の内部に従来の仕切板がなくなり、その仕切板の厚さ分だけ家具本体１内部の収容容積が増大し、家具本体１内部に左右側板２Ｌ，２Ｒの位置まで無駄なく靴等を収納でき、家具本体１の外寸が従来と同じであってもそれよりも収容量が増加する。
【００４４】
また、家具本体１の前端部に、天板３と底板４とを直接連結する表側補強枠材１０が設けられ、後端部に、天板３と底板４とを背板補強桟６，６を介して間接的に連結する裏側補強板１１が設けられているので、従来の仕切板が無くても家具本体１として十分な強度が得られる。しかも、棚板１８は左右の側板２Ｌ，２Ｒのダボピン２２，２２，…以外に、裏側補強板１１及び表側補強枠材１０に固定したダボピン２２，２２によっても架設されるので、仮に各棚板１８が左右の分割棚板１８Ｌ，１８Ｒに分割されずに左右の側板２Ｌ，２Ｒ間に亘る１枚ものであり、その１枚ものの棚板１８を左右の側板２Ｌ，２Ｒのダボピン２２，２２，…だけで架設する場合のように、上載して収納した靴等の重みで該棚板１８の中央が撓む等の問題が発生することはない。
【００４５】
さらに、各棚板１８が裏側補強板１１及び表側補強枠材１０の位置で左右の分割棚板１８Ｌ，１８Ｒに分割され、両分割棚板１８Ｌ，１８Ｒは左右に突き合わされかつ該突き合わせ端部が裏側補強板１１及び表側補強枠材１０で支持された状態で隙間無く架設されているので、上記１枚ものの棚板１８のように左右に連続して分割棚板１８Ｌ，１８Ｒが配置されているにも拘わらず、棚板１８の位置の付け替えが容易に行える。
【００４６】
また、下側棚板１８の右分割棚板１８Ｒに、その前側の一部を切り欠いた切欠部２１が設けられているので、その切欠部２１のスペースに背の高いブーツ等を折り曲げることなくそのまま収納することができる。また、同じ右分割棚板１８Ｒにおいて、切欠部２１後側に前後の奥行きの狭くなった部分が生じるが、この部分には、子供靴や小箱等を置くことができる。よって、このことで無駄のない収納を行うことができる。
【００４７】
（その他の実施形態）
上記実施形態において、棚板１８の下面に形成されているダボ溝１９やダボ切欠き２０は必須ではない。しかし、棚板１８をダボピン２２と係合させることで、移動することなく安定して支持できる点では、ダボ溝１９やダボ切欠き２０を形成するのが好ましい。
【００４８】
また、架設部材としてのダボピン２２は取り外し可能でなくてもよく、左右側板２Ｌ，２Ｒ、表側補強枠材１０及び裏側補強板１１に取り外し不能に固定されていてもよい。しかし、棚板１８の高さを変える場合には、予め、その高さに応じて複数のダボピン２２，２２，…を固定しておく必要があるので、取り外し可能とするのが好ましい。
【００４９】
また、各棚板１８は必ずしも左右に分割されている必要はなく、１枚ものの棚板１８であってもよく、その場合、その棚板１８は左右端部が左右側板２Ｌ，２Ｒのダボピン２２，２２，…により、また中間部が前後端部で表側補強枠材１０及び裏側補強板１１のダボピン２２，２２によりそれぞれ架設支持される。また、一部の棚板１８が分割され、残りの棚板１８が１枚ものであってもよい。しかし、棚板１８を家具本体１内部から取り出したり、高さ位置を調整したりすることが容易となる点では、各棚板１８が分割されているのが好ましい。
【００５０】
さらに、上記実施形態では、下側棚板１８の右分割棚板１８Ｒに切欠部２１を形成しているが、他の棚板１８に形成してもよく、複数枚の棚板１８，１８，…や全ての棚板１８，１８，…に亘って上下に対応するように形成することもでき、それら複数枚の棚板１８，１８，…に亘る長い収納物をそのまま収容することができる。尚、この棚板１８の切欠部２１は必須ではない。
【００５１】
また、上記実施形態では、裏側補強板１１を背板５の後側に配置して、その裏側補強板１１が家具本体１内に露出しないようにしているが、裏側補強板１１を背板５の前側に配置して家具本体１内に露出させるようにしてもよい。
【００５２】
さらに、上記実施形態では、左分割棚板１８Ｌの右端部前端のダボ切欠き２０に表側補強枠材１０後面のダボピン２２の左半部を、また右端部後端のダボ切欠き２０に裏側補強板１１（背板５）前面のダボピン２２の左半部をそれぞれ係合させる一方、右分割棚板１８Ｒの左端部前端のダボ切欠き２０に表側補強枠材１０後面のダボピン２２の右半部を、また左端部後端のダボ切欠き２０に裏側補強板１１（背板５）前面のダボピン２２の右半部をそれぞれ係合させているが、表側補強枠材１０後面又は裏側補強板１１（背板５）前面のダボピン２２をそれぞれ左右対（２つや４つ）にし、左分割棚板１８Ｌの右端部前端のダボ切欠き２０に表側補強枠材１０後面の左側のダボピン２２を、また右端部後端のダボ切欠き２０に裏側補強板１１（背板５）前面の左側ダボピン２２をそれぞれ係合させ、右分割棚板１８Ｒの左端部前端のダボ切欠き２０に表側補強枠材１０後面の右側のダボピン２２を、また左端部後端のダボ切欠き２０に裏側補強板１１（背板５）前面の右側のダボピン２２をそれぞれ係合させるようにしてもよく、分割棚板１８Ｌ，１８Ｒにおいて表側補強枠材１０又は裏側補強板１１への支持がより一層安定して行われる。
【産業上の利用可能性】
【００５３】
本発明は、家具本体として十分な強度を確保しつつ、従来の仕切板をなくし玄関収納家具の収容量の増加を図ることができるので、極めて有用で産業上の利用可能性が高い。
【符号の説明】
【００５４】
Ａ  玄関収納家具
１  家具本体
２Ｌ  左側板
２Ｒ  右側板
３  天板
４  底板
５  背板
６  背板補強桟
１０  表側補強枠材
１１  裏側補強板
１５Ｌ  左扉
１５Ｍ  中扉
１５Ｒ  右扉
１８  棚板
１８Ｌ  左分割棚板
１８Ｒ  右分割棚板
２１  切欠部
２２  ダボピン（架設部材）
【図１】
2013017663.tif 000003
【図２】
2013017663.tif 000004
【図３】
2013017663.tif 000005
【図４】
2013017663.tif 000006
【図５】
2013017663.tif 000007
【図６】
2013017663.tif 000008
【図７】
2013017663.tif 000009
【図８】
2013017663.tif 000010
【図９】
2013017663.tif 000011